(57)【要約】２つの光制御要素間に介在する表示器を有するディスプレイ装置。この光制御要素は協調して作用してディスプレイの視野角を少なくとも２方向に制限する。光コリメーティング要素の一方のみがディスプレイに入射する周辺光の角度を制限する。
2005524870.tif 000002
【特許請求の範囲】
【請求項１】
第１のコリメーティング方位を有する第１の光コリメーティングフィルムと、
第２のコリメーティング方位を有する第２の光コリメーティングフィルムと、
前記第１および第２の光コリメーティングフィルム間に配置された少なくとも１つのディスプレイ要素と、を備えるディスプレイ装置。
【請求項２】
前記ディスプレイ要素がアナログ表示器、デジタル表示器、受動ディスプレイまたはそれらの任意の組合せを含む、請求項１に記載のディスプレイ装置。
【請求項３】
前記第１のコリメーティングフィルムの前記第１のコリメーティング方位が前記第２のコリメーティングフィルムの前記第２のコリメーティング方位とは実質的に異なる、請求項１に記載のディスプレイ装置。
【請求項４】
前記第１のコリメーティング方位と前記第２のコリメーティング方位の差が約９０度である、請求項３に記載のディスプレイ装置。
【請求項５】
どちらの光コリメーティングフィルムも光吸収および光透過材料の交互ルーバ要素を備える、請求項１に記載のディスプレイ装置。
【請求項６】
視覚的死正面外観（ｖｉｓｕａｌ  ｄｅａｄ  ｆｒｏｎｔ  ａｐｐｅａｒａｎｃｅ）によりさらに特徴付けられる、請求項１に記載のディスプレイ装置。
【請求項７】
前記第１および第２の光コリメーティングフィルムの少なくとも１つの面が防眩面、反射防止面、防汚面、傷防止面またはそれらの任意の組合せを備える、請求項１〜６のいずれか一項に記載のディスプレイ装置。
【請求項８】
照明源と、
第１のコリメーティング方位を有する第１の光コリメーティングフィルムと、
第２のコリメーティング方位を有する第２の光コリメーティングフィルムと、
前記第１および第２の光コリメーティングフィルム間に配置された少なくとも１つのディスプレイ要素と、を備え、前記照明源による発光が前記第１のコリメーティングフィルムにより平行にされ、前記ディスプレイ要素を照明し、その後前記第２のコリメーティングフィルムにより平行にされるようになっているディスプレイ。
【請求項９】
前記ディスプレイ要素がアナログ表示器、デジタル表示器、受動ディスプレイまたはそれらの任意の組合せを含む、請求項８に記載のディスプレイ。
【請求項１０】
前記第１のコリメーティングフィルムの前記第１のコリメーティング方位が前記第２のコリメーティングフィルムの前記第２のコリメーティング方位とは実質的に異なる、請求項８に記載のディスプレイ。
【請求項１１】
前記第１のコリメーティング方位と前記第２のコリメーティング方位の差が約９０度である、請求項１０に記載のディスプレイ。
【請求項１２】
どちらの光コリメーティングフィルムも光吸収および光透過材料の交互ルーバ要素を備える、請求項８に記載のディスプレイ。
【請求項１３】
周辺光のみにより視認可能な表示器によりさらに特徴付けられる、請求項８に記載のディスプレイ。
【請求項１４】
前記第１および第２の光コリメーティングフィルムの少なくとも１つの面が防眩面、反射防止面、防汚面、傷防止面またはそれらの任意の組合せを備える、請求項８〜１３のいずれか一項に記載のディスプレイ。
【請求項１５】
少なくとも１つの請求項８に記載のディスプレイを備える庇のないダッシュボード。
【請求項１６】
ディスプレイ要素と、
第１および第２の光制御要素と、を含み、
前記第１および第２の光制御要素が協調して前記ディスプレイ要素を照明する光源からの光の方向性を少なくとも２方向に限定する一方、前記第１および第２の光制御要素のうちの一方のみが前記ディスプレイを照明する反射周辺光の方向性を限定するディスプレイ装置。
【請求項１７】
前記ディスプレイ要素がアナログ表示器、デジタル表示器、受動ディスプレイまたはそれらの任意の組合せを含む、請求項１６に記載のディスプレイ装置。
【請求項１８】
どちらの光制御要素も光吸収および光透過材料の交互ルーバ要素を備える、請求項１６に記載のディスプレイ装置。
【請求項１９】
前記第１および第２の光制御要素の少なくとも１つの面が防眩面、反射防止面、防汚面、傷防止面またはそれらの任意の組合せを備える、請求項１６〜１８のいずれか一項に記載のディスプレイ装置。
【発明の詳細な説明】
【技術分野】
【０００１】
本発明はディスプレイに関し、特に視野角の制御が望まれる用途で用いられるディスプレイに関する。
【背景技術】
【０００２】
陸上車両、船舶および航空機で用いられるような点灯計器パネルディスプレイに見られる問題は、ディスプレイによる発光が広い範囲の角度を介して出射することである。この光の一部分はフロントガラスまたは操縦席の窓などの反射面近辺に当たり、反射されてその機の操作者に戻ってくる場合がある。一般には日中は太陽光によりそのような反射が視認できないが、夜間ははっきり見えることが多い。このような反射は操作者の気を散らしたりまたはさらに操作者の視界を妨害することにより危険な状況を生む場合がある。
【０００３】
ディスプレイによる発光からの反射に加えて、ディスプレイの画面から操作者への周辺反射光がディスプレイ自体を不明瞭にする恐れがある。周辺光源は例えば窓近辺を介する入射光または操作者が着用している白いシャツからの反射であることがある。
【０００４】
上記の反射を排除するために、様々なタイプの囲い、覆い等を用いてディスプレイを少なくとも部分的に囲んだりまたは取り巻くことにより、周辺光がディスプレイの前面に直接当たらないようにするとともにディスプレイによる発光の角度自体を制御してきた。囲い利用の一例は１つ以上の凹状ディスプレイを備えた計器パネルである。覆い付きディスプレイの一例はダッシュボードの上部、すなわち庇（ｂｒｏｗ）を有する自動車のダッシュボードであり、ディスプレイの上方に延出して例えば太陽からの光がフロントガラスから入射して速度計の画面から運転者に向かって反射しないようにする。この庇は上述した「白いシャツ」反射などの間接源からの反射の防止を助けるとも言われている。
【０００５】
囲い、覆い、庇等を用いて周辺光または発光を制御することに対する不都合は、計器パネルに余分な重量と奥行きが加わることである。例えば自動車メーカーは燃料効率を上げるために車両全体の重量を低減すべく努力している。ダッシュボードの奥行きを低減することは車両重量の削減に貢献する。計器パネルの奥行きを低減することもその周囲の区域に有用な空間を提供することができる。
【０００６】
不規則な構造またはテクスチャを庇の無い計器パネルと共に用いるディスプレイの面に提供することにより、ディスプレイの前面からの気を散らす反射の防止を助けることも知られている。このような構造はディスプレイによる発光より生じる反射には対応しない。
【０００７】
光コリメーティングフィルムは概して一連のマイクロルーバ要素を備えているが、フィルムによる透過光の視野角を制限するように作用する。これを例えばコンピュータモニタ画面上のディスプレイの前面に用いて、画面の真正面にいる人にしかディスプレイの内容が見えないように視野角を制限した。同じ目的で例えば社会的に普及している自動現金預け払い機（ＡＴＭ）ディスプレイにおいて光コリメーティングフィルムを液晶ディスプレイの背後に用いた。しかしこれらの例における光制御フィルムの使用は視野角を一方向のみに限定するものである。
【０００８】
ディスプレイの前に配置した、コリメーティング軸を互いに直交させた状態の光コリメーティングフィルムの２枚の隣接シートの組合せが報告されているが、この組合せは以下のように要求を満たしてはいない。
【発明の開示】
【課題を解決するための手段】
【０００９】
本発明は制御された照明および視界を有するディスプレイ装置を含む。一実施形態においてディスプレイ要素は第１および第２の光制御要素と組み合わされている。この第１および第２の光制御要素は協調してディスプレイを照明する光源からの光の方向性を少なくとも２方向に限定する。第１および第２の光制御要素の一方のみがディスプレイを照明する反射周辺光の方向性を限定する。
【００１０】
１つの特定の実施形態において、ディスプレイ装置は照明源と視認者の間に配置されている。上記ディスプレイ装置は表示器などのディスプレイ要素を含んでもよい。第１の光コリメーティング要素は表示器と照明源の間に配置され、第２の光コリメーティング要素は表示器の前に、例えば視認者と表示器の間に配置される。
【００１１】
さらに他の実施形態においてディスプレイ装置はアナログディスプレイを含む。この表示器はポインタ式表示器であってもよい。
【００１２】
さらに他の実施形態において、ディスプレイ装置はデジタルディスプレイを含む。この表示器は液晶ディスプレイなどのデジタル表示器であってもよい。
【００１３】
さらにまた他の実施形態では、ディスプレイ装置は受動ディスプレイを備え、表示器も表示も機械的または電子的入力などの外的刺激に応答しない。
【発明を実施するための最良の形態】
【００１４】
本明細書において使用する場合特に明記しない限り、用語「前に」および「前方へ」はディスプレイまたは計器パネルに近辺または内部での視認者に向いた相対的位置を指すとともに、用語「後に」および「後方へ」はディスプレイまたは計器パネルに近辺または内部での視認者から離れた相対的位置を指す。
【００１５】
本発明は一般に２つの光制御要素が照明源と協調的に動作してディスプレイによる発光の方向性を限定するディスプレイ装置を対象とする。光制御要素は光を少なくとも２方向に制御する。光制御要素の一方はさらにディスプレイに入射する反射周辺光の方向性を限定する。一態様においてこのディスプレイ装置の使用により、ディスプレイによる発光の方向性または視野角を少なくとも２方向に制御できる場合、ディスプレイに近い表面からの反射を例えばディスプレイの上方および側面で低減または排除することができる。他の態様において、ディスプレイ装置は一方向のみからディスプレイに入射する反射周辺光の方向性を限定できるため、ディスプレイ自体からの周辺光の望ましくない反射を低減または排除しつつディスプレイを周辺光により視認できる。またディスプレイからの周辺光の反射の方向性を限定することを用いて以下に説明するように視覚的死正面外観（ｄｅａｄ−ｆｒｏｎｔ  ａｐｐｅａｒａｎｃｅ）を提供することができる。
【００１６】
本明細書に説明するように、光コリメーティングフィルムによって代表されるような光制御要素同士はディスプレイ要素または表示器の介在により分離されている。単に表示器の前後の２つの隣接光コリメーティングフィルムを組み合わせる従来の方法とは異なり、本発明は周辺光および逆光の両光許容性能を可能にする。２つの光コリメーティングフィルムを一方のフィルムの光コリメーティング軸の方向が他方のフィルムの光コリメーティング軸の方向と直交するように透明な光学接着剤で接着して結合させて、このフィルムの結合組合せをディスプレイ手段の前に配置すると、組合せフィルムにより光透過性が低下するため周辺光ではディスプレイが読みにくい。使用中、このようなディスプレイ装置は、ディスプレイを一定に背面照明してディスプレイおよび組合せコリメーティングフィルムの背後の表示の適正な視認性を確保することが必要となる。一定の背面照明は照明源の寿命を減らすため追加コストおよびユーザに対する不都合を招くと見られている。一方、フィルムの結合組合せを表示器手段の後に配置すると、周辺光は表示器または表示の前面から反射して少なくともディスプレイの部分的ウォッシュアウトの原因になる。
【００１７】
本発明の実施形態によれば、囲い、覆い、庇等を必要とせず、またディスプレイによる発光に起因する望ましくない反射を効果的に低減するディスプレイ装置を含む計器パネルディスプレイを作製することができる。またこのディスプレイ装置はディスプレイの表面から反射した望ましくない周辺光を効果的に低減する。これは多くのディスプレイにとって周辺光が重要な照明源であると考えられ、そのため反射を防止するのに用いられる手段はどれも照明をさらに提供することなくディスプレイに入射する十分な周辺光にディスプレイを必要に応じて照明させなければならないため重要である。本発明の一態様によるディスプレイは照明源からの透過光および反射周辺光だけの両方により視認可能であり得る。
【００１８】
図１は本発明による一般的なディスプレイ装置を示す。ディスプレイ装置１００は第１の光制御要素１２０と、第２の光制御要素１３０と、第１および第２の光コリメーティングフィルム間に介在するディスプレイ要素１２５と、を備える。上述のように、光制御要素１２０および１３０は協調して周辺光を制御して望ましくない反射を防止または低減する。視界に最も近い光制御要素の一方は、例えばさらに周辺光反射を低減する役目をする。図示しないがさらに光源を用いてディスプレイを照明してもよい。
【００１９】
本発明の態様による１つの特定な実施形態がアナログディスプレイ装置２００を示す図２に示されている。アナログディスプレイは周知であり速度計、高度計、油圧計等などのポインタ式計器により代表され得る。ポインタ式計器は一般に機械式または電気機械式作動装置に回転可能に連結されたポインタなどの表示器を有する。図２においてディスプレイ要素すなわち表示器２２５はポインタ式針として図示されると共に回転可能連結シャフト２４０の一端に取り付けられて示されている。シャフト２４０の他端は機械式または電気機械式計器モータ（図示せず）などの表示器作動機構に係合している。シャフト２４０は第１の光コリメーティングフィルム２２０内の開口２１５を通過する。
【００２０】
照明源２３５はディスプレイ装置を照明する働きをする。照明源は１つ以上の白熱灯、蛍光灯、発光ダイオード、エレクトロルミネセンスパネル等であり得る。照明源２３５は概してディスプレイ装置２００の背後に配置されて、照明源２３５による発光が第１のコリメーティングフィルム２２０により透過さて表示器２２５を照明し、第２のコリメーティングフィルム２３０により透過されて視認者に向かうようになっている。しかし各々実際の照明源をディスプレイ装置の背後以外に配置することができる液晶ディスプレイまたは光ファイバ導光管に概して用いられる光ガイドバックライトなどの照明源も検討されている。
【００２１】
表示器２２５と照明源２３５の間に介在しているのは、第１の方向に配向した第１のコリメーティング軸を有する第１のコリメーティングフィルム２２０である。表示器２２５の前に配置されているのは、第２の方向に配向した第２のコリメーティング軸を有する第２の光コリメーティングフィルム２３０である。１つの特定な実施形態において、第１のコリメーティングフィルム２２０の光コリメーティング軸の方位は第２のコリメーティングフィルム２３０の光コリメーティング軸の方位とは大幅に異なる。このようなディスプレイを背面照明する場合、照明源２３５による発光は第１のコリメーティングフィルム２２０により第１の方向に平行にされ、この平行光が表示器を照明した後、第２のコリメーティングフィルム２３０により第２の方向に平行にされて発光の視野角を減少させる。一般に、最も限定的な横方向および上下方向の視野角は、第１のコリメーティングフィルム２２０のコリメーティング軸が第２のコリメーティングフィルム２３０のコリメーティング軸に対しておよそ９０度で配向している時に得られることになる。なお本明細書で使用するようにコリメートとは光の視野（または円錐）角を低減することを指し、光を完全に平行にする必要はない。
【００２２】
周辺光がディスプレイの面に当たると、その周辺光の一部分は第２のコリメーティングフィルム２３０のルーバを介して入射して表示器２２５を照明することにより、背面照明が無くても視認者はディスプレイを見ることができる。
【００２３】
照明目的のため、１つ以上のマーキング、すなわち表示２６０が図２の第１の光コリメーティングフィルム２２０の前面上に配置して示されている。代表的な表示は速度計のマイル／時、高度計のフィートを表わす数字、または水温計の水用記号または油圧計の油用記号などのグラフィクス等である。
【００２４】
表示の配置は第１のコリメーティングフィルム２２０の表面に限らず任意の表面でよい。例えばディスプレイの所望の外観によってポインタの後の表面上またはポインタの前の表面上に表示を配置してもよい。表示器２２５の前、例えば第２のコリメーティングフィルム２３０の表面に配置された表示は表示器に対して中に浮いて見えることになる。あるいは第１のコリメーティングフィルム２２０の表面に配置された表示は表示器２２５の背後に見えることになる。第２のコリメーティングフィルム２３０の前面に配置された表示は、反射または透過光により常時視認可能であるが、第２のコリメーティングフィルム２３０の後面に配置された表示は透過光によってのみ視認可能になる傾向があり、フィルム２３０のコリメーティング軸の方位によっては、ディスプレイの真正面の操作者にしか視認可能ではない。
【００２５】
視認性のため、表示は不透明であることが好ましいが、半透明な表示さらには、例えば色またはテクスチャを対照的にすることによりディスプレイ内で視認可能にされた透明な表示も用いることができる。多数の方法のいずれでも表示を適用し得る。例えば表示をホットスタンプ、シルクスクリーンまたは他の印刷技術による印刷、エンボス、もしくはディスプレイ表面に接着剤で貼り付けてもよい。
【００２６】
光コリメーティングフィルムは周知である。光制御フィルムの１つのタイプは例えば、光透過性および光吸収性材料の近接離間した交互マイクロルーバすなわちコリメーティング要素を組み込んだ薄膜プラスチックシートである。第２のタイプの光制御フィルムは、例えばフィルムの一面または両面に光コリメーティング構造が設けられたほぼ透明な薄膜プラスチックシートである。
【００２７】
コンピュータ画面および他の固定ディスプレイ上で光制御フィルムを用いることによりユーザのプライバシーを保護するとともにコントラスト強化に役立ててきた。ほぼ垂直方向の光コリメーティング方位を有するルーバはディスプレイの横方向の視野角を限定する。ほぼ水平方向の光コリメーティング方位を有するルーバはディスプレイの上下方向の視野角を限定する。さらに光制御フィルムはディスプレイからの反射と眩しさを低減するとともに、物理的に周辺光をディスプレイ画面に到達しないように遮断することによりコントラストを増加させるのに役立つ。本発明で使用するのに適した光コリメーティングフィルムの例にはミネソタ州セントポールの３Ｍ（Ｓｔ．Ｐａｕｌ，ＭＮ）から発売されているライト・コントロール・フィルム（Ｌｉｇｈｔ  Ｃｏｎｔｒｏｌ  Ｆｉｌｍ）、米国特許第３，５２４，７８９号明細書に記載のスカイビングプロセスにより作製されるルーバフィルム、および例えば米国特許第５，２０４，１６０号明細書に記載されているような光吸収材料で充填または被覆された溝またはチャネルを有するの光透過性フィルムがある。
【００２８】
限定としてではなく説明の目的のため、１つの特定なコリメーティングフィルムを図３に図示する。図３は交互光透過性ルーバ要素３２０および光吸収ルーバ要素３１０を備える３Ｍライト・コントロール・フィルム（Ｌｉｇｈｔ  Ｃｏｎｔｒｏｌ  Ｆｉｌｍ）３００のシートの実物大ではなく大幅に拡大した断面を表わす。フィルムを透過した光線３５０はルーバ要素により平行にされてルーバ角α（アルファ）により決定された方向に向かう。当業者には理解可能であるように平行光は、ルーバ角により決定される最大視野角θ（シータ）、ルーバ要素間の距離、フィルムの厚さ、およびスネルの法則によるフィルムの屈折率を有する。そのためフィルム厚さを増加させることにより、光透過性ルーバ要素の厚さを減少させることにより、またはその両方の組合せにより、より狭い視野角を得ることができる。
【００２９】
ディスプレイの視認度は、透過光によるものでもまたは反射周辺光によるものでも、光コリメーティングフィルムの光学透過の関数でもある。フィルムの光透過度は部分的には光吸収ルーバ要素間の距離、すなわちフィルムの光透過性要素の厚さの関数である。吸収ルーバ要素間の距離が大きいほど、多くの光がコリメーティングフィルムを透過する。より透過性のあるコリメーティングフィルムはより多くの周辺光を前面コリメーティングフィルム内に入射可能にして表示器を照明するとともに、より多くの光をディスプレイの背後の照明源からディスプレイを介して視認者に向けて透過可能にする。
【００３０】
ディスプレイ装置内の２枚の光コリメーティングフィルムのルーバ角とコリメーティング軸の様々な組合せを用いることにより、ディスプレイ装置による発光の方向および視野角を制御できることは理解できよう。例えば複数のディスプレイを有する計器パネルにおいて、特に第２のコリメーティングフィルムのコリメーティング軸、ルーバ角および透過度を適正に選択することにより、ディスプレイ、計器またはメータは操作者の上方、下方、または側方にあろうと各ディスプレイからの発光を静止操作者位置に向けることができる。
【００３１】
再度図２を参照すると、庇のない自動車のダッシュボードでの使用に適したディスプレイ装置の１つの構造において、約０（ゼロ）度のルーバ角を有する第１の光コリメーティングフィルム２２０をそのコリメーティング軸をほぼ垂直方位にして配向することが好ましい。第２の光コリメーティングフィルム２３０をそのコリメーティング軸をほぼ水平方向にして配向してもよい。第１のフィルム２２０による光のコリメーションは横方向の発光を低減することにより反射面からディスプレイの側方への反射を排除するのに役立つ。第２のフィルム２３０による透過光のコリメーションは垂直方向の発光を低減することによりディスプレイの上方および／または下方からの反射を排除するのに役立つが、同時に車両の搭乗者はディスプレイの側方の位置からディスプレイの少なくとも一部分を見ることができる。さらに第２のコリメーティングフィルム２３０のルーバは周辺光がディスプレイに入射して表示手段２２５または表示２６０の外観をウォッシュアウトしないようにするのに役立つ。
【００３２】
本発明の一態様によるディスプレイの他の利点は、光コリメーティングフィルム、特に第２の光コリメーティングフィルム２３０の適切な選択および配向により、ディスプレイを照明源２３５また周辺反射光のみにより視認可能にし得る。
【００３３】
透過光のみにより表示器および表示が視認可能であるが反射光により視認不可能であるディスプレイは、視覚的死面外観を有することが知られている。黒い視覚的死面ディスプレイは特色のある流行の美的魅力のある外観を有すると見られている。本発明の一態様によるディスプレイにおいてこのような外観を達成することができる。図２に示した実施形態を例として用いると、第２のコリメーティングフィルム２３０をそのコリメーティング軸を垂直方位にして配置するとともに、第２のコリメーティングフィルム２３０の視野角を十分に狭くすると、表示器２２５および表示２６０は第２のコリメーティングフィルム２３０の視野角外では視認不可能になる。例えば自動車のダッシュボードではこのディスプレイは運転者には視認可能であるが、前部搭乗者座席の着座者には視覚的に死面外観を呈することもできる。
【００３４】
しかしこれとは逆に、図２のディスプレイの第２のコリメーティングフィルム２３０が十分に大きい視野角を有する場合、または第２のコリメーティングフィルム２３０がそのコリメーティング軸を水平方位にして配置されている場合には、表示器２２５および表示２６０は運転者だけでなく搭乗者にも反射周辺光および透過光の両方によって視認可能になりやすい。
【００３５】
図４はディスプレイ４００がデジタル表示器４２５を備える他の実施形態を表わす。この特定の実施形態において照明源４３５は庇のない自動車ダッシュボード４０５に搭載されている。表示器４２５は例えばエレクトロルミネセンス(ＥＬ)パネル４３５などのバックライトにより照明される液晶ディスプレイ（ＬＣＤ）である。ＬＣＤ４２５とＥＬパネル４３５の間に介在しているのは第１の光コリメーティングフィルム４２０である。第２の光コリメーティングフィルム４３０はＬＣＤ４２５と視認者の間に配置されている。この特定の実施形態において可撓性の第２の光コリメーティングフィルム４３０は視認者に対して凹面状に配置して示されている。この第２の光コリメーティングフィルム４３０の凹面構成において、ディスプレイの前面に入射する周辺光、例えば視認者が着用している白いシャツからディスプレイに向かって反射された周辺光は、ディスプレイから視認者に戻る方向以外の方向に反射されやすいため白いシャツの反射を低減する。
【００３６】
可撓性の光コリメーティングフィルムの使用は、例えばディスプレイの視野角をさらに制御するまたはディスプレイの照明を制御するのに有利である。光コリメーティングフィルムの撓曲がルーバ要素の相対的方位に影響する場合があることは容易に理解できよう。例えば互いにほぼ平行であるとともにフィルムの厚さに対してほぼ垂直であるルーバ要素を有する光コリメーティングフィルムが、フィルムの光コリメーティング軸にほぼ平行な軸を中心に曲げられると、撓曲フィルム内の隣接ルーバ要素の平面は互いにほぼ平行ではなくなるがその代わりに撓曲部の半径にほぼ平行になる。その結果撓曲フィルムの凹面から凸面側へ透過する光の視野角が増加することになる。同様にフィルムの凸面側から凹面側へ透過する光の視野角は減少することになる。フィルムの光コリメーティング軸にほぼ垂直な軸を中心に撓曲した光コリメーティングフィルムにおいて、隣接ルーバ要素の面は互いにほぼ平行を保ち、フィルムの視野角は不変である。フィルムを出射する光に対してより広い視野角を有するフィルムはフィルムを介して入射する周辺光に対しても広い視野角を有する。そのため本発明によるディスプレイにおいて、例えばフィルムの屈曲または成形により１つ以上の光コリメーティングフィルムに湾曲を付与することにより、ディスプレイの視認性または照明の特定の態様を制御することが可能である。湾曲はフィルム全体にある必要はなく、フィルムの局所に付与して局所的な光制御を提供してもよい。
【００３７】
本発明の前述の実施形態と同様に、照明手段４３５から発射した光の少なくとも一部分が第１のコリメーティングフィルム４２０に透過および平行にされて、ＬＣＤ表示器４２５の透過区域を通過して第２のコリメーティングフィルム４３０によって平行にされることになる。
【００３８】
本発明の他の実施形態において、ディスプレイ装置はアナログディスプレイとデジタルディスプレイの両方を備えることができる。この実施形態の一例は全走行マイルを表示するデジタル表示器と組み合わせて速度をマイル／時で示すポインタ式表示器を有する速度計である。
【００３９】
さらに他の実施形態ではディスプレイ装置は受動的である。例えば表示器も表示も機械的または電子的入力などの外部刺激に応答しない受動表示器。本発明による代表的な受動ディスプレイ装置において表示器は例えば、上にほぼ不透明な表示が貼付されたほぼ光透過性の基板または代替的にはほぼ光透過性の区域を有するほぼ不透明な基板などの表示（ｓｉｇｎａｇｅ）要素である。
【００４０】
本発明に対する様々な変更および代替物は本発明の範囲と精神とから逸脱することなく当業者には明らかであろう。例えばディスプレイ内の１つ以上のカラーフィルタまたは光コリメーティングフィルム内のカラールーバ要素を用いてディスプレイ装置の外観を変えることもできる。表示を含む別の透過性フィルムをディスプレイ内に、例えば第１のコリメーティングフィルムと表示器の間または表示器と第２のコリメーティングフィルムの間に配置してもよい。光コリメーティングフィルムを含む上記のいずれのフィルムも１つ以上の表面も被覆または処理してフィルムに防眩、反射防止、防汚性または耐磨耗性を提供してもよい。これらのコーティングまたは処理の任意の組合せを適宜所望または必要に応じて特定のディスプレイ用途に用いてもよい。ディスプレイの１つ以上の構成要素を枠または筐体に封入してもよい。
【００４１】
なお本発明は本明細書に記載された例示的実施形態および実施例により必要以上に限定されるものではなく、このような実施例および実施形態は単に例として提示されたものに過ぎず、本発明の範囲は本明細書に記載された請求項によってのみ限定されるものであることは理解できよう。
【図面の簡単な説明】
【００４２】
【図１】側面図における本発明の一般的なディスプレイ装置を示す。
【図２】斜視図における本発明の一実施形態を示す。
【図３】光コリメーティングフィルムの断面を示す。
【図４】斜視図における本発明の第２の実施形態を示す。
【図１】
2005524870.tif 000003
【図２】
2005524870.tif 000004
【図３】
2005524870.tif 000005
【図４】
2005524870.tif 000006
【国際調査報告】
2005524870.tif 000007
2005524870.tif 000008